(57)【要約】【課題】電流駆動型表示の輝度ばらつきを低減させるに際し、電源起動から表示までの時間を多く必要とする。【解決手段】行方向と列方向にマトリックス状に画素が配置された表示装置において、データ信号生成部が生成したデータ信号を受けて、表示部の列ごとに電流信号を生成し出力する電流発生回路のうち、選択された列の電流信号が取り出されて計測され、選択列の補正係数が計算される。選択列の、計測された電流信号または算出された補正係数を用いて、選択された列の間にある選択された列以外の列についての補正係数が算出される。補正係数は、データ信号生成部にフィードバックされて、データ信号が補正される。【選択図】  図１
2010134181.tif 000002
【特許請求の範囲】
【請求項１】
発光素子が行方向と列方向にマトリックス状に配列した表示部と、
データ信号を生成し出力するデータ信号生成部と、
前記データ信号生成部が出力したデータ信号を受けて、対応する電流信号を前記表示部の列ごとに生成し出力する電流発生回路と
を備えた表示装置であって、
前記電流発生回路の出力する電流信号を前記表示部に導く経路を接続または遮断し、前記経路を遮断したときに、前記電流発生回路の出力端子からの前記電流信号を全ての列に共通の経路に流す総和電流生成部と、
前記総和電流生成部の前記共通の経路に流れる電流を受けて、前記電流発生回路が出力する列ごとの電流信号の不均一が縮小する方向に前記データ信号を補正する補正係数を算出し、前記データ信号生成部に出力するフィードバック部と
をさらに備え、
前記電流発生回路が出力する電流信号のうち、選択された列の電流信号が、前記総和電流生成部を通じて前記フィードバック部に入力され、
前記フィードバック部が前記入力された電流信号を計測することにより、前記選択された列についての前記補正係数が算出され、前記計測された電流信号または前記算出された補正係数を用いて、前記選択された列の間にある前記選択された列以外の列についての前記補正係数が算出されることを特徴とする表示装置。
【請求項２】
前記選択された列についての前記補正係数は、前記計測された電流信号とあらかじめ決定された全ての列に共通の電流信号とを用いて算出され、前記選択された列以外の列についての前記補正係数は、前記計測された電流信号から補間演算により算出された電流信号と、前記あらかじめ決定された全ての列に共通の電流信号とを用いて算出されることを特徴とする請求項１に記載の表示装置。
【請求項３】
前記データ信号生成部が、前記電流発生回路のうち選択した列の電流発生回路に前記電流信号を出力させ、選択された列以外の列の前記電流発生回路にゼロ電流を出力させるデータ信号を生成して出力することにより、前記選択された列の電流信号が前記共通の経路から出力され前記フィードバック部に入力されることを特徴とする請求項１または２に記載の表示装置。
【請求項４】
前記総和電流生成部が、選択した列の前記電流発生回路の出力端子を前記共通の経路に接続することにより、前記選択された列の電流信号が前記共通の経路から出力され前記フィードバック部に入力されることを特徴とする請求項１または２に記載の表示装置。
【請求項５】
前記データ信号生成部が、前記フィードバック部が算出し出力した補正係数によって補正されたデータ信号を生成し、前記電流発生回路が、前記補正されたデータ信号に応じた電流信号を生成し、前記フィードバック部が前記電流信号を受けて前記補正係数を算出することにより、前記補正係数が更新されることを特徴とする請求項１ないし４のいずれか１項に記載の表示装置。
【請求項６】
前記データ信号生成部が前記補正されたデータ信号を生成し、全ての列が、順次、選択されて、選択された列の電流発生回路の電流信号が、順次、フィードバック部に入力されることにより、全ての列の補正係数が決定されることを特徴とする請求項５に記載の表示装置。
【請求項７】
請求項１ないし６のいずれか１項に記載された表示装置と、被写体を撮影する撮影部と、前記撮影部で撮影された信号を処理する映像信号処理回路とを備え、前記映像信号処理回路で信号処理された映像信号が前記表示装置で表示されることを特徴とするカメラ。
【請求項８】
発光素子が行方向と列方向にマトリックス状に配列した表示部と、
データ信号を生成し出力するデータ信号生成部と、
前記データ信号生成部が出力したデータ信号を受けて、対応する電流信号を前記表示部の列ごとに生成し出力する電流発生回路と
前記電流発生回路の出力する電流信号を前記表示部に導く経路を接続または遮断し、前記経路を遮断したときに、前記電流発生回路の出力端子からの前記電流信号を全ての列に共通の経路に流す総和電流生成部と、
前記総和電流生成部の前記共通の経路に流れる電流を受けて、前記電流発生回路が出力する列ごとの電流信号の不均一が縮小する方向に前記データ信号を補正する補正係数を算出し、前記データ信号生成部に出力するフィードバック部と
を備えた表示装置の駆動方法であって、
（Ａ）前記データ信号生成部が、選択した列のうちの１列のデータを１とし、残りの列のデータを０とするデータ信号を生成する工程と、
（Ｂ）前記電流発生回路が前記データ信号に対応する電流信号を発生する工程と、
（Ｃ）前記電流発生回路が出力する電流信号を前記総和電流生成部を通じて前記フィードバック部に入力する工程と、
（Ｄ）前記フィードバック部が前記入力された電流信号を計測する工程と
（Ｅ）前記（Ａ）−（Ｄ）の工程を選択した列について繰り返す工程と、
（Ｆ）前記フィードバック部が、前記選択された列についての前記補正係数を算出する工程と、
（Ｇ）前記計測された電流信号または前記算出された補正係数を用いて、前記選択された列の間にある前記選択された列以外の列についての前記補正係数を算出する工程と
を有することを特徴とする表示装置の駆動方法。
【請求項９】
発光素子が行方向と列方向にマトリックス状に配列した表示部と、
データ信号を生成し出力するデータ信号生成部と、
前記データ信号生成部が出力したデータ信号を受けて、対応する電流信号を前記表示部の列ごとに生成し出力する電流発生回路と
前記電流発生回路の出力する電流信号を前記表示部に導く経路を接続または遮断し、前記経路を遮断したときに、前記電流発生回路の出力端子からの前記電流信号を全ての列に共通の経路に流す総和電流生成部と、
前記総和電流生成部の前記共通の経路に流れる電流を受けて、前記電流発生回路が出力する列ごとの電流信号の不均一が縮小する方向に前記データ信号を補正する補正係数を算出し、前記データ信号生成部に出力するフィードバック部と
を備えた表示装置の駆動方法であって、
（Ａ）前記データ信号生成部が、全列のデータを１とするデータ信号を生成する工程と、
（Ｂ）前記電流発生回路が前記データ信号に対応する電流信号を発生する工程と、
（Ｃ）前記総和電流生成部が、前記経路を遮断し、選択した列のうちの１列の前記電流発生回路の出力端子を前記共通の経路に接続する工程と、
（Ｄ）前記フィードバック部が前記共通の経路に流れる電流を計測する工程と
（Ｅ）前記（Ｃ）−（Ｄ）の工程を選択した列について繰り返す工程と、
（Ｆ）前記フィードバック部が、前記選択された列についての前記補正係数を算出する工程と、
（Ｇ）前記計測された電流信号または前記算出された補正係数を用いて、前記選択された列の間にある前記選択された列以外の列についての前記補正係数を算出する工程と
を有することを特徴とする表示装置の駆動方法。
【発明の詳細な説明】
【技術分野】
【０００１】
本発明は、外部より入力された映像信号に基づいて画像を表示する表示装置に関し、特に、各画素回路に表示に応じた電流信号を入力して画像を表示する表示装置及びその駆動方法に関する。
【背景技術】
【０００２】
有機エレクトロルミネッセンス（ＥＬ）素子を用いたアクティブマトリックス方式の表示装置は、従来の格子状に電極を並べてオン・オフ動作のみで発光を制御していた単純マトリックス方式に比べ、個々の画素回路のＥＬ素子を高階調に点灯させることができる。そのため、ＥＬ素子を用いたアクティブマトリックス方式の表示装置によって、コントラスト比が大きく、且つ応答速度の高いディスプレイが実現する。
【０００３】
ＥＬ表示装置は、ＥＬ素子を含む画素回路を配置した画像表示部（表示部）と、外部より入力した映像信号等の信号情報を処理して画像表示部の各画素回路に送るための駆動回路とを備える。この駆動回路の中でも、画像表示部と同じ表示パネル内に作り込まれる駆動制御回路は、通常、薄膜トランジスタ（ＴＦＴ）を用いて構成されている。また、各画素回路においてＥＬ素子の発光状態を制御するためのアクティブ素子にも、主としてＴＦＴが用いられている。しかし、ＴＦＴはその特性上、単結晶トランジスタに比べて素子間のばらつきが大きく、近接的にもばらつきに相関性を保証することが難しい。そのため、駆動状態を確実に制御するように回路設計をしなければ、全画素回路のＥＬ素子を均一に発光させようとしても輝度むらが発生してしまう。
【０００４】
特許文献１におけるＥＬパネルの駆動方法は、ＥＬパネル内部に構成された電流発生回路を列数分配置し、パネル外部から画像情報を各電流発生回路に電圧情報としてシフトレジスタを通して点順次に書き込む。そして、全列数書き込んだ後に、特定行にある画素回路の駆動トランジスタに線順次として一斉に画像情報を電流として書き込む方式である。この電流発生回路はＴＦＴで構成されるため、素子ばらつきの影響を受ける。
【特許文献１】特開２００７−２０６７１５号公報
【発明の開示】
【発明が解決しようとする課題】
【０００５】
列ごとの電流発生回路のばらつきを補正するには、列ごとに電流発生回路の出力を検出して補正係数を決定する必要があり、列数が４８０×３本としても、全体として１秒近い時間が必要となる。電源投入時に補正係数を更新すると、システム起動時間がその分増えることになり、デジタルカメラ、携帯など、ディスプレイのオン・オフが頻繁に繰り返される製品の場合には、たとえ１秒弱でも使用者には長く感じられる。そのため、短時間で補正係数を決定する方法が求められていた。
【課題を解決するための手段】
【０００６】
第１に、本発明は、
発光素子が行方向と列方向にマトリックス状に配列した表示部と、
データ信号を生成し出力するデータ信号生成部と、
前記データ信号生成部が出力したデータ信号を受けて、対応する電流信号を前記表示部の列ごとに生成し出力する電流発生回路と
を備えた表示装置であって、
前記電流発生回路の出力する電流信号を前記表示部に導く経路を接続または遮断し、前記経路を遮断したときに、前記電流発生回路の出力端子からの前記電流信号を全ての列に共通の経路に流す総和電流生成部と、
前記総和電流生成部の前記共通の経路に流れる電流を受けて、前記電流発生回路が出力する列ごとの電流信号の不均一が縮小する方向に前記データ信号を補正する補正係数を算出し、前記データ信号生成部に出力するフィードバック部と
をさらに備え、
前記電流発生回路が出力する電流信号のうち、選択された列の電流信号が、前記総和電流生成部を通じて前記フィードバック部に入力され、
前記フィードバック部が前記入力された電流信号を計測することにより、前記選択された列についての前記補正係数が算出され、前記計測された電流信号または前記算出された補正係数を用いて、前記選択された列の間にある前記選択された列以外の列についての前記補正係数が算出されることを特徴とする。
【０００７】
第２に、本発明は、
発光素子が行方向と列方向にマトリックス状に配列した表示部と、
データ信号を生成し出力するデータ信号生成部と、
前記データ信号生成部が出力したデータ信号を受けて、対応する電流信号を前記表示部の列ごとに生成し出力する電流発生回路と
前記電流発生回路の出力する電流信号を前記表示部に導く経路を接続または遮断し、前記経路を遮断したときに、前記電流発生回路の出力端子からの前記電流信号を全ての列に共通の経路に流す総和電流生成部と、
前記総和電流生成部の前記共通の経路に流れる電流を受けて、前記電流発生回路が出力する列ごとの電流信号の不均一が縮小する方向に前記データ信号を補正する補正係数を算出し、前記データ信号生成部に出力するフィードバック部と
を備えた表示装置の駆動方法であって、
（Ａ）前記データ信号生成部が、選択した列のうちの１列のデータを１とし、残りの列のデータを０とするデータ信号を生成する工程と、
（Ｂ）前記電流発生回路が前記データ信号に対応する電流信号を発生する工程と、
（Ｃ）前記電流発生回路が出力する電流信号を前記総和電流生成部を通じて前記フィードバック部に入力する工程と、
（Ｄ）前記フィードバック部が前記入力された電流信号を計測する工程と
（Ｅ）前記（Ａ）−（Ｄ）の工程を選択した列について繰り返す工程と、
（Ｆ）前記フィードバック部が、前記選択された列についての前記補正係数を算出する工程と、
（Ｇ）前記計測された電流信号または前記算出された補正係数を用いて、前記選択された列の間にある前記選択された列以外の列についての前記補正係数を算出する工程と
を有することを特徴とする。
【０００８】
第３に、本発明は、
発光素子が行方向と列方向にマトリックス状に配列した表示部と、
データ信号を生成し出力するデータ信号生成部と、
前記データ信号生成部が出力したデータ信号を受けて、対応する電流信号を前記表示部の列ごとに生成し出力する電流発生回路と
前記電流発生回路の出力する電流信号を前記表示部に導く経路を接続または遮断し、前記経路を遮断したときに、前記電流発生回路の出力端子からの前記電流信号を全ての列に共通の経路に流す総和電流生成部と、
前記総和電流生成部の前記共通の経路に流れる電流を受けて、前記電流発生回路が出力する列ごとの電流信号の不均一が縮小する方向に前記データ信号を補正する補正係数を算出し、前記データ信号生成部に出力するフィードバック部と
を備えた表示装置の駆動方法であって、
（Ａ）前記データ信号生成部が、全列のデータを１とするデータ信号を生成する工程と、
（Ｂ）前記電流発生回路が前記データ信号に対応する電流信号を発生する工程と、
（Ｃ）前記総和電流生成部が、前記経路を遮断し、選択した列のうちの１列の前記電流発生回路の出力端子を前記共通の経路に接続する工程と、
（Ｄ）前記フィードバック部が前記共通の経路に流れる電流を計測する工程と
（Ｅ）前記（Ｃ）−（Ｄ）の工程を選択した列について繰り返す工程と、
（Ｆ）前記フィードバック部が、前記選択された列についての前記補正係数を算出する工程と、
（Ｇ）前記計測された電流信号または前記算出された補正係数を用いて、前記選択された列の間にある前記選択された列以外の列についての前記補正係数を算出する工程と
を有することを特徴とする。
【発明の効果】
【０００９】
本発明によれば、発光素子に流れる電流ばらつきによる表示装置の視覚的なムラやスジを軽減することができる。また、簡易なシステムを提供しかつ電源起動から表示までの時間を短縮することができる。
【発明を実施するための最良の形態】
【００１０】
以下、本発明に係る表示装置を実施するための最良の形態について、図面を参照して具体的に説明する。本形態は、ＥＬ素子を用いた表示装置に適用されている。
（表示装置の構成）  
図１は、本発明に係る表示装置の構成を示すブロック図である。本発明の表示装置は、表示パネル１と、表示パネルにデータ信号を送るデータ信号生成部８に加え、データ信号を補正するためのフィードバック部９を有している。
【００１１】
図２は、表示パネル１の構成を詳しく示した図である。データ信号生成部から入力されたデータ信号Vｉｄｅｏが、電流発生回路２に供給され、電流信号がデータ線に出力される。電流信号は総和電流生成部３に入り、表示部１０に供給されるか、または総和電流Ｉｓｕｍとして出力される。
【００１２】
表示部１０には、電流に応じて発光する発光素子である有機エレクトロルミネセンス（ＥＬ）素子とそれを駆動する画素回路１８とが、行方向と列方向に二次元マトリックス状に配列している。走査線の信号により行方向の画素が１行ずつ選択される。それに同期して、電流発生回路２から出力された電流信号が、データ線を通じて画素回路１８に供給され、画素回路１８が有機ＥＬ素子を駆動する。その結果有機ＥＬ素子が電流信号に応じた輝度で発光する。
【００１３】
データ信号生成部８には画像データが入力され、データ信号Ｖｉｄｅｏが生成されて表示パネル１に送られる。
【００１４】
図３は、上記特許文献１で提案され、本発明の表示装置にも用いられる電流発生回路２である。
【００１５】
図３の電流発生回路２は、入力されるデータ信号Videoをサンプリングし電圧電流変換する回路を２系統持っている。
【００１６】
トランジスタM１ないしM６と、容量C１、C２は、第１のサンプリングおよび電圧電流変換回路を構成する。サンプリング信号ＳＰａが入力されるタイミングでデータ信号Ｖｉｄｅｏをラッチし、Ｐ３の制御信号によってＭ３のドレインから電流信号ｉｄａｔａを出力する。制御信号Ｐ１、Ｐ２によってトランジスタＭ３の閾値電圧をキャンセルする動作を行うので、閾値電圧のばらつきによらない電流出力が得られる。
【００１７】
トランジスタM７ないしM１２と、容量C３、C４は、第２のサンプリングおよび電圧電流変換回路を構成する。サンプリング信号はＳＰｂであり、制御信号がＰ４−Ｐ６となるだけで、動作は第１の回路と同様である。
【００１８】
第１系統の回路と第２系統の回路はサンプリングと電流発生を交互に行い、一方のサンプリング動作期間中に他方が電流を発生するように制御される。第１系統の回路にラッチされたデータ信号Ｖｉｄｅｏは、１水平期間遅れて、第２系統の回路が次のデータ信号をラッチする期間に電流信号を出力する。
【００１９】
トランジスタＭ３、またはＭ９のゲート−ソース間電圧を入力電圧Vinとして、ドレイン端子から出力電流Ioutを発生させる場合の電圧電流変換は以下の（１）式で表される。
【００２０】
【数１】
2010134181.tif 000003
【００２１】
式（１）において、βは電流増幅率、Vthは閾値電圧である。
【００２２】
ＴＦＴのばらつき要素は、電流増幅率β及び閾値電圧Vthであるが、図３の電流発生回路では、Vthのばらつきはキャンセルされており、実効的には電圧電流変換特性は（２）式で表される。
【００２３】
【数２】
2010134181.tif 000004
【００２４】
電流増幅率βのばらつきはキャンセルされないので、同一なデータ信号を入力しても、出力される電流信号は均一ではない。このため、表示部に縦筋となって現れてしまう。
【００２５】
本発明は、データ信号を補正して、電流発生回路の出力を均一化するものである。
【００２６】
データ信号生成部８は、入力される画像データに補正係数を乗じてデータ信号とする。
【００２７】
補正係数はシリアルに生成されるデータ信号のタイミングによって異なる値を持ち、生成されたデータ信号が順に電流発生回路２によってラッチされ電流信号に変換されて出力されるデータ線（図２）に対応している。言い換えれば、補正係数は、生成されたデータ信号が送られる電流発生回路２のそれぞれに与えらる。補正係数を電流発生回路２の出力に基いて決定することにより、電流発生回路２が出力する列ごと電流信号の不均一を少なくするようにデータ信号を補正することができる。
【００２８】
電流発生回路２からある列に出力される電流信号が、あらかじめ与えられた電流値（または電流信号を列について平均した電流値）よりも大きい場合、フィードバック部９で１より小さい補正係数が生成され、データ信号生成部８に送られる。データ信号生成部が次のデータ信号を生成する時には、データ信号の振幅が、それまでのデータ信号より小さい方向に補正される。平均値より小さい出力電流信号が生じた場合は、その列の補正係数は１より大きな値となり、データ信号は振幅を大きくするほうに補正される。
【００２９】
フィードバック部９は、データ信号ＶＩＤＥＯに従って電流発生回路２から出力される出力電流を計測して、その値からデータ信号についての補正係数を求め、結果をデータ信号生成部８に送るフィードバック経路を構成する。
【００３０】
表示装置が通常の表示を行っている間は、画像データがデータ信号生成部８に入力され、補正されて電流発生回路２に送られる。補正係数は、補正係数記憶部７に記憶されており、通常の表示を行っている間は、ここから読み出されてデータ信号生成部８に送られる。
（補正係数の書き換え）
補正係数の書き換えは、電源投入直後など、通常の表示期間とは別の期間を設けて行われる。
【００３１】
書き換え期間は、すなわち書き換えのために新たな補正係数を決定し、補正係数記憶部７に記憶するための期間である。
【００３２】
以下、書き換え期間中の図１の動作を詳しく説明する。
【００３３】
図４は、補正係数を決める期間中の図１の回路の動作を表すタイミングチャートである。
【００３４】
書き換え期間になると、まず、データ信号生成部８が、入力画像データの有無にかかわらず、補正係数決定のための補正用データ信号Ｖｉｄｅｏを生成し電流発生回路２に送る。
【００３５】
補正用データ信号は、電流発生回路２の列ごとの出力のうち、選択された１つだけが電流信号を生成し、選択された列以外の列の出力はゼロの電流信号になるようなデータ信号である。１行の選択期間内に１つの列のデータだけがＨｉｇｈレベルで、残りの列のデータは全てゼロとなる。図４では、Ｔ０期間に、いちばん端の列（図２の左端のデータ線に接続されている列。以下、０列とする）のデータだけがＨｉｇｈで、０列以外の列はゼロのデータ信号Ｚ（０）が生成される。
【００３６】
引き続く行選択期間Ｔ１では、０列から４列飛ばして５列（端から６番目の列）のデータだけがＨｉｇｈで他の列はゼロであるデータ信号Ｚ（５）が発生し、電流発生回路２に送られる。
【００３７】
その次の期間Ｔ２では、１０列がＨｉｇｈで他はゼロのデータ信号Ｚ（１０）が発生する。
【００３８】
このように、補正用データ信号は、１つの行選択期間ごとに、１つの列を選択してその列だけがＨｉｇｈレベルで他はゼロとなるデータ信号を生成し、それを単位として行選択時間ごとに次々と選択列をずらせて繰り返す時系列信号である。
【００３９】
列は５列に１本の割合で選択され、総列数が４８０×３本あるとすると、４８０×３／５＝２８８列を選択して終了する。列の選択比率は必ずしも１／５でなくてよく、特に制限されない。しかし、全ての列が選択されるわけではなく、５列に１つ、あるいは１０列に１つなどの割合で飛び飛びに選択される。
【００４０】
全列について電流発生回路出力を計測すると、列数分の水平期間に等しい補正期間が必要で、相当の秒数を要する。しかし、列を飛び飛びに選択して、補正する電流発生回路２の数を少数に限ればこの時間を短縮することができる。
【００４１】
Ｔ０期間のＺ（０）のデータ信号が入力されると、電流発生回路２は、１水平期間だけ遅れたＴ１の期間に、対応する電流信号を０列のデータ線にのみ出力し、それ以外の列にはゼロ電流を出力する。１つ行選択期間のデータ信号Ｚ（ｋ）によって、電流発生回路２は、選択されたｋ列からのみ電流信号を出力する。
【００４２】
選ばれたｋ列の電流発生回路２からは、白表示に該当する最大電流が出力される。選択列のデータ信号の振幅は、白表示に該当する信号である。
【００４３】
書き換え期間中は、電流発生回路２が生成する電流信号は表示部１０には送られず、総和電流生成部３に送られ、総和電流Iｓｕｍとして表示パネル１の外に取り出される。電流信号発生回路の１つの列からしか電流信号が出力されないので、総和電流Ｉｓｕｍとして取り出されるのも１列の電流信号のみである。Ｔ０期間には、０列の電流発生回路２からの電流が出力され、これが、総和電流生成部３から総和電流Ｉｓｕｍとして出力される。以下、行選択期間T1,T2,・・・のそれぞれで、順次、選択された列の電流信号が取り出されて総和電流Ｉｓｕｍとして出力される。
【００４４】
図５は、総和電流生成部３の回路図である。
【００４５】
総和電流生成部３は、電流発生回路の出力端子から出力される電流を共通の経路２３に接続して電流信号を出力する出力部２１と、画素回路１８へ流れる電流を遮断する遮断部２２を備えている。
【００４６】
出力部２１は、電流発生回路２の出力端子につながるデータ線（図１のデータ線に相当する）と、総和電流を出力するための全列に共通の電流経路２３との接続をオン・オフするスイッチを有しており、これらのスイッチは薄膜トランジスタＭ１１〜Ｍ３Ｎから構成される。薄膜トランジスタＭ１１〜Ｍ３Ｎのソースは電流発生回路２の各列の出力端子に接続され、薄膜トランジスタＭ１１〜Ｍ３Ｎの各ドレインは全て共通の経路２３に接続され、この経路２３より総和電流Ｉｓｕｍが出力される。
【００４７】
一方、遮断部２２は、出力部２１の各ラインと表示部１０のデータ線９１ａ〜９Ｎｃとを接続または遮断するスイッチを有する回路である。これらのスイッチは薄膜トランジスタＭ４１〜Ｍ６Ｎから構成されている。薄膜トランジスタＭ４１〜Ｍ６Ｎの各ドレインはそれぞれデータ線９１ａ〜９Ｎｃに接続されている。
【００４８】
薄膜トランジスタＭ１１〜Ｍ３Ｎのゲートは全て共通に接続されて、この共通ゲートにロジック回路１４からの総和電流生成制御信号ＣＣｘが入力される。ＣＣｘが１（Ｈｉｇｈ）の信号を供給するとき、全スイッチが一斉にオンとなる。
【００４９】
薄膜トランジスタＭ４１〜Ｍ６Ｎのゲートも全て共通に接続されてロジック回路１４からの総和電流生成制御信号ＣＣｙが入力される。ＣＣｙが１（Ｈｉｇｈ）の信号を供給するとき、全スイッチが一斉にオンとなる。
【００５０】
図６は、総和電流生成部３の別の回路例である。図５の回路と異なる点は、選択列と非選択列の区別を、総和電流生成部３のシフトレジスタＤ１１−Ｄ３Ｎが行う点である。
【００５１】
図６の総和電流生成部３も、図５の回路と同様、データ線から共通に電流信号を出力する出力部２１と、表示部１０へ流れる電流を遮断する遮断部２２を備えている。
【００５２】
出力部２１は、シフトレジスタＤ１１〜Ｄ３Ｎと、各データ線９１ａ〜９Ｎｃ（図２のデータ線に相当する）と総和電流が出力される経路２３とを接続し、各シフトレジスタＤ１１〜Ｄ３Ｎの出力によってトランジスタＭ１１〜Ｍ３Ｎがオンまたはオフになる。
【００５３】
遮断部２２の動作は図５と同じであるのでここでは繰り返さない。
【００５４】
初めのみ１でそれ以後０のデータがＣＣｘに入力されることによって、Ｔ１の期間、シフトレジスタは、０列のデータ線につながるＤ１１の出力のみ１（Ｈｉｇｈ）で、その他の出力は０（Ｌｏｗ）になる。このとき、０列の電流信号のみが総和電流のための共通の経路２３に接続され、総和電流出力として取り出される。その他の列は電流発生回路２と表示部１０をつなぐ経路に接続されたままであるが、遮断部２２が表示部１０への電流経路を遮断しているので、非選択列の電流信号はどこにも流れない。
【００５５】
次のＴ２期間（これ以降ＣＣｘはずっと０が入力される）は、シフトレジスタのクロックＣＫｘが５パルス入力され、シフトレジスタの出力が５段シフトされる。その結果、Ｄ３２の出力のみが１（Ｈｉｇｈ）で、その他の出力は０（Ｌｏｗ）となる。
【００５６】
以後、１つの段のみ１で他は０の出力が５段ずつシフトされていき、それによって電流発生回路２の５列に１つの出力端が総和電流の経路２３に接続され、順次、総和電流出力Ｉｓｕｍとして出力される。
【００５７】
この間、データ信号生成部８は、つねに全部の列に一定の白表示（または中間的なグレー表示）のデータ信号を出力し、電流発生回路２がそれに応じた電流信号を生成する。そのうちの１つが総和電流生成部３によって選択されフィードバック部９に導かれる。
【００５８】
以下、図５の総和電流生成部があるものとして説明するが、図６の回路を用いても同様である。
【００５９】
総和電流生成部３の出力する総和電流Ｉｓｕｍはフィードバック部９に入力される。
【００６０】
フィードバック部９は、電流計測部４、補正係数演算回路５および補正係数記憶部７を含んで構成されている。補正係数演算回路５は、補間演算回路６をその中に含んでいる。
【００６１】
フィードバック部９に入力された電流は電流計測部４へ送られ、計測される。計測は、入力された電流を抵抗に流して電圧にした後、ＡＤコンバータにてディジタルデータにする。駆動ICの内部の抵抗では精度が不十分なときは、表示パネル１とフィードバック部９の駆動ＩＣとの間にディスクリート抵抗素子を設けても良い。
【００６２】
上記のように、選ばれた列の電流発生回路２からは白表示に該当する最大電流が出力される。これは、他の、ゼロのデータ信号が入力される列の電流発生回路２からも、わずかに電流が洩れ出る場合があり、選択列のデータ線に出力される電流を十分大きい値にして、他の列の微小電流の合計から識別する必要があるためである。
【００６３】
洩れ電流が十分小さいときは、選択列の電流発生回路２が出力する電流信号は最大電流より小さい電流であってもよい。一方、その他の列の微小電流の合計が大きく、選択された列の電流信号が識別困難な場合は、選択列の出力する電流信号を計測するだけでなく、全列のデータ信号をゼロ信号にしたときの総和電流も計測してその平均値を算出し、各列の計測結果から差し引く処理を行うことが好ましい。
【００６４】
電流計測部４では、T1,T2,・・・の各期間に、それぞれ０列，５列，１０列・・・の選択列の電流信号が順次計測されることになる。
【００６５】
次いで、補正係数演算回路５において、あらかじめ決められた電流値、または計測した選択列の電流信号の平均値と、電流計測部４で算出された電流信号のディジタルデータとを演算処理して補正係数を得る。
【００６６】
この演算処理は、以下のようにして行われる。
【００６７】
（２）式で与えられる出力電流はβを含んでいるのでばらつきがある。これをキャンセルするような入力信号、すなわち各電流発生回路の出力電流を一定の電流Ｉｒｅｆにするようなデータ信号Vrefは
【００６８】
【数３】
2010134181.tif 000005
【００６９】
である。式（２）の入力データ信号Vinと式（３）のVrefとの関係は
【００７０】
【数４】
2010134181.tif 000006
【００７１】
【数５】
2010134181.tif 000007
【００７２】
となる。すなわち、出力電流を均一な値Ｉｒｅｆにするためには、（５）式に従って、補正前の出力電流Ｉｏｕｔを均一電流の値で除算し、その平方根を求め、これを補正係数として、それを用いて（４）式によりデータ信号Ｖｉｎを補正すればよい。
【００７３】
式（５）の平方根を高精度で演算するための回路は構成が複雑になるので、簡単な回路で計算できるように線形近似すると、
【００７４】
【数６】
2010134181.tif 000008
【００７５】
となる。
【００７６】
平方根を線形近似したためだけでなく、計測されるＩｓｕｍはいろいろな要因の誤差を含んでいる。そこで、補正した入力電圧を再度、電流発生回路に入力し、そのときの出力電流を計測し、あらたな補正係数を求める。新たな補正係数は、それまでの値に代わって記憶部に記憶される。この結果補正係数は更新されていき、この操作を繰り返していくと、補正係数が１に近づき、出力電流は均一な値に近づくと予想される。P回目の操作によって更新される補正係数H（P）は、それまでの補正係数H（P−１）にさらに補正を加えるので、
【００７７】
【数７】
2010134181.tif 000009
【００７８】
となる。
【００７９】
Ｈ（Ｐ）はＰ回目の補正係数、ＩoutはＰ回目の補正係数決定において電流発生回路が出力した当該列の電流信号、ｇは、収束効率を高めるために調整するゲインパラメータである。
【００８０】
出力電流ＩｏｕｔがＩｒｅｆより大きいとき、補正係数は１より小さい値になる。この補正係数で補正されるデータ信号は、もとのデータ信号に比べて振幅が小さく、したがってより小さい出力電流を生成させる。この結果、出力電流はＩｒｅｆに近づく。
出力電流ＩｏｕｔがＩｒｅｆより小さいときは逆の補正が起こる。いずれの場合も、出力電流はＩｒｅｆに近づく。全ての選択列でＩｒｅｆに近づく方向に電流が補正されるので、全体として電流の不均一が縮小される。これを繰り返していくと、やがて出力電流が均一になる。
【００８１】
初めに補正係数を求めるときはＨ（０）＝１とする。複数回補正動作後によって得られた補正係数は、（５）式の結果に収束し、回数を多くすることによって誤差の少ない補正係数を算出することが出来る。
【００８２】
表１は、ゲインパラメータをｇ＝２として、初期の出力電流Ioutが目標電流Irefの０．５倍である場合（第２列目）と、１．５倍である場合（第３列目）とについて、（７）式で補正を繰り返したときの出力電流値Ioutである。補正を繰り返すにつれて目標値に近づき、５回目の補正でほぼ目標値に到達することがわかる。
【００８３】
【表１】
2010134181.tif 000010
実際の回路では、出力電流Ioutの計測時に、電流取り出し経路の伝送ノイズなどがあり、検出電流のＳ／Ｎにより収束条件は異なってくる。
【００８４】
目標電流の値Irefは任意に決めることができるが、補正の収束の上からは、全ての選択列の出力電流信号を計測した後、その平均値を取ってこれをIrefとするのが好ましい。
【００８５】
以上の手順により選択列の補正係数を決定することができる。求めた補正係数は補正係数記憶部７に保存される。
【００８６】
補正係数は、４列おきなどの飛び飛びに選択された列についてのみ決定されるので、選択されたとびとびの列の間にあって選択されなかった列については、選択された列の補正係数から、補間法によって補正係数を求めることができる。補間法は、選択されなかった列からみて左および右にある最も近い選択列を選び、その２つの列の補正係数から線形補間演算によって補正係数を算出する。
【００８７】
線形補間演算においては、計測した２つの選択列の電流信号Ｉ（ｎ）、Ｉ（ｎ＋ｍ）から、その間の列の電流値を
【００８８】
【数８】
2010134181.tif 000011
【００８９】
の１次式で決定する。ここで、ｋはｎ列とｎ＋ｍ列の間にある列に左から１，２，３、・・・とつけた番号、Ｉ（ｋ）は補間により決定されるｋ列の電流、係数ａ，ｂは
【００９０】
【数９】
2010134181.tif 000012
【００９１】
である。
【００９２】
図２の表示パネルの右端近くの列については両側に選択列がない。それらについては、一方の側の２つの選択列からの外挿で代用する。
【００９３】
上の補間演算においては線形補間を用いているが、スプライン関数他の曲線近似を用いることもできる。あるいは近接ＴＦＴ間のばらつきが関数的に求められるならば、その関数を用いて補間しても良い。また上の場合は電流値を補間して求めたが、選択列の計測された電流から補正係数を先に求めて、その結果から非選択列の補正係数を補間によって求めても良い。
【００９４】
以上の補間演算は補間演算部６で行われ、その結果も補正係数記憶部７に記憶される。
【００９５】
繰り返し補正を行う場合は、すべての列の電流発生回路２について補正係数が決まると、それを用いてデータ信号生成部８が新たな補正用データ信号を生成する。この補正用データ信号は、前回の補正用データ信号に補正係数を乗じて得られる。この補正された補正用データ信号が再び電流発生回路に送られて、対応する電流信号が生成される。この電流を総和電流生成部３がフィードバック部９に送り、２回目の補正係数決定手続が実行される。
【００９６】
図７（ａ）−（ｃ）のグラフは、５列に１つの割合で電流発生回路を選択して、式（７）によって繰り返し補正係数を求めるときの、繰り返しの各ステップの出力電流を示す図である。縦軸は電流値、横軸の０−２５は列番号を表している。
【００９７】
図７の大きな白丸は選択列の電流発生回路２の出力、小さい白丸は非選択列の電流発生回路２の出力、斜線をつけた丸は両側の大きな白丸から補間によって算出された電流で、非選択列の電流発生回路２が出力したとみなす電流信号である。
【００９８】
図７の縦軸は電流値であるが、電流値の代わりに補正係数と考えてもよい。そのときは、下に向かうほうが大きい値とみなされる。
【００９９】
図７（ａ）は、補正されていないデータ信号がそのまま入力されて、それに応じて電流発生回路２が出力した電流信号を示している。実際に検出され計測される電流は、選択列の電流のみであるが、非選択列の電流発生回路からも図に示すような電流が出力されているとする。
【０１００】
図７（ａ）の電流出力がなされたときに、選択列の電流信号を検出してその平均値Ｉｍ（１）を算出し、これを目標電流Ｉｒｅｆとして、（７）式により補正係数を求める。また、選択列の検出した電流信号の値を用いて、非選択列が出力したとみなすべき電流を（８）式によって決定する。これが斜線をつけた丸として示されている。この補間電流から、（７）式により補正係数を算出する。（図７（ａ）−（ｃ）の縦軸を補正係数とみなす場合は、このときに求めた選択列および非選択列の補正係数が図に示されているとする。）
それらの補正係数をデータ信号生成部８に送り、それにより補正されたデータ信号が発生する。これが電流発生回路２に送られ、対応した電流信号が出力される。そのときの電流信号を示したのが図７（ｂ）である。
【０１０１】
補正係数を求める手順を１回行った結果、選択列の電流信号は、目標値Ｉｍ（１）に近づくように補正され、全体としてばらつきが減少している。非選択列については、（ａ）に示されている補間電流が、均一値に近づくように補正されるから、補間電流値が目標値より小さい場合は電流は大きくなるほうに補正され、補間電流値が目標値より大きい場合は電流は小さくなるほうに補正される。その結果を示したのが（ｂ）の小さい白丸である。
【０１０２】
図７（ａ）と（ｂ）を比べると、元の出力電流が補間電流値に近い１１−１４列、１６−２９列などは別として、４列や２１−２４列のように実際の出力電流が目標値に近づく方向に補正されている場合と、１列や２列のように逆に目標値から遠ざかる方向に補正されている列とがある。これは、（ａ）の段階で、１列や２列では、実際の出力電流（白丸）が均一値より大きいのに、補間電流値（斜線丸）が均一値より小さいため、電流値を大きくする方向にデータ信号が補正されてしまうためである。
【０１０３】
（ｂ）の状態で、選択列の電流値の平均をとってそれを第２の目標電流Ｉｍ（２）とし、再び選択列の電流を検出して補正係数を求め、さらに補間により非選択列の補正係数を求める。それをデータ信号生成部に送り、２回目の補正データを発生させる。
【０１０４】
以上の補正サイクルを繰り返して、データ信号を５回補正した後の電流発生回路２の出力電流値を図７（ｃ）に示す。
【０１０５】
５回の補正の結果、選択列の電流発生回路の出力値はほとんど均一化され、非選択列も大部分均一化されている。しかし、非選択列の一部には、補正が進まず目標値から取り残されてしまうものもある。
【０１０６】
補正しきれない列が残らないようにするために、５回目の補正係数決定ステップにおいて、全列を選択する補正を行ってもよい。すなわち、全ての列にわたって電流発生回路を順次選択して、１列ずつ電流信号を出力させ、全列の電流信号を計測して補正係数を定めるようにする。これにより全列の電流発生回路について目標電流とのずれが解消される。第１〜第４回目は選択列についてのみ電流検出が行われるので、５回目で全列の電流検出を行ったとしても、各ステップで全ての列の電流検出を行うよりは短時間で均一な電流に到達することができる。
【０１０７】
または、中間の補正ステップで、選択列を変更して、前のステップの非選択列を選択列にして補正係数を求めても良い。補正ステップごとに検出列を変えることもできる。
【０１０８】
非選択列であったために電流が目標値から離れている列は、選択列として補正されることにより補正が進み目標電流値に近い値になるので、その後のステップで再び非選択列になっても、目標値から大きく外れることがない。さらに、選択列を変更することにより、目標電流に近い列の間隔が狭まるので、非選択列の補間演算の精度が高まることも期待される。
【０１０９】
繰り返しの補正により補正係数が１に収束して、電流発生回路の出力電流が均一になると、補正係数書き換え期間が終了し、通常の表示期間がスタートする。
【０１１０】
通常の表示期間においては、書き換えられた補正係数に基いて、外からデータ信号生成部８に入力される画像データが補正される。これに対応して、電流発生回路２が電流信号を生成し、表示部１０が画像を表示する。このとき、総和電流生成部３は、電流発生回路２と表示部１０をつなぐ電流経路を接続し、電流を表示部に流す。総和電流の出力経路はこの電流経路から切り離されている。
【０１１１】
本発明において、１つの行選択期間における選択列は１本に限定されるものではない。近接する列の出力電流はほぼ揃っているものとして、例えば１画素のＲＧＢの３列を１組として同時に選択しても良い。このとき、３列が同じ補正係数を持つことになる。
【０１１２】
複数本を同時選択列とすることによって、補正係数決定に要する時間を短縮することができる。
【０１１３】
また、選択の順序も０列から最終列の向きに限定されるものではない。
【０１１４】
本発明の表示装置を用いて、いろいろな情報機器を構成できる。情報機器としては、携帯電話、携帯コンピュータ、スチルカメラもしくはビデオカメラなど、もしくは、それらの各機能の複数をあわせ持つ機器である。
【０１１５】
これらの情報機器は、情報入力部を備えている。携帯電話の場合には情報入力部はアンテナを含んでいる。ＰＤＡや携帯ＰＣの場合には、ネットワークに対するインターフェース部が情報入力部になる。スチルカメラやムービーカメラの場合には、情報入力部はＣＣＤやＣＭＯＳなどによるセンサ部を含んでいる。
【０１１６】
図８は本発明の表示装置を搭載したデジタルスチルカメラのブロック図である。撮影部１１２で撮影した被写体の映像、またはメモリ１１５に記録された被写体の映像を、映像信号処理回路１１３で信号処理し、表示パネル１１４で見ることができる。ＣＰＵ１１６では、操作部１１７からの入力によって、撮影部１１２、メモリ１１５、映像信号処理回路１１３などを制御して、状況に適した撮影、記録、再生、表示を行う。
【図面の簡単な説明】
【０１１７】
【図１】本発明に係る表示装置の構成を示すブロック図である。
【図２】本発明に係る表示装置の表示パネル部分の構成を示すブロック図である。
【図３】本発明の電流発生回路の回路図である。
【図４】本発明の表示装置の動作を説明するタイミングチャートである。
【図５】本発明の総和電流生成部の回路図である。
【図６】本発明の別の総和電流生成部の回路図である。
【図７】本発明の表示装置における繰り返し補正の過程を示す図である。
【図８】本発明の表示装置を用いたデジタルカメラの構成を示すブロック図である。
【符号の説明】
【０１１８】
１  表示パネル
２  電流発生回路
３  総和電流生成部
４  電流計測部
５  補正係数演算部
６  補間係数演算部
７  補正係数記憶部
８  データ信号生成部
９  フィードバック部
１０  表示部
１１  行シフトレジスタ
１２  行走査線
１７  列シフトレジスタ
１８  画素回路
２１  総和電流生成部
２２  遮断部
２３  総和電流出力経路
９１ａ〜９Ｎｃ  データ線
【図１】
2010134181.tif 000013
【図２】
2010134181.tif 000014
【図３】
2010134181.tif 000015
【図４】
2010134181.tif 000016
【図５】
2010134181.tif 000017
【図６】
2010134181.tif 000018
【図７】
2010134181.tif 000019
【図８】
2010134181.tif 000020